(57)【特許請求の範囲】
【請求項１】
遊技媒体を用いて遊技を行う遊技機であって、
前記遊技中に遊技者によって操作される操作部を備え、
前記操作部の周辺には、前記遊技球が入り得る大きさを有し、前記操作部が操作された時に遊技者の手からこぼれ落ちた物を受ける凹部が形成されており、
前記凹部には、前記遊技者の手からこぼれ落ちた物を排出する排出口と、前記排出口に向けて傾斜する傾斜面とが形成されている
ことを特徴とする遊技機。
【発明の詳細な説明】
【技術分野】
【０００１】
本発明は、遊技中に遊技者によって操作される操作部を有する遊技機に関する。
【背景技術】
【０００２】
遊技機としては、例えば、遊技領域に向けて遊技球を発射して、遊技領域に設けられた複数の入球口に遊技球を入球させる遊技を行ういわゆるパチンコ機が知られている。このパチンコ機では、遊技の興趣を高めることができるように、様々な演出が行われている。例えば、遊技中に特定の条件が成立（例えば、特定の入球口に遊技球が入球）すると、遊技領域に設けられた液晶表示画面上で演出が開始され、演出が特定の態様で終了すると、遊技者にとって有利な遊技状態が実行可能となることが広く行われている
【０００３】
更に、演出の最中に特定の操作部への操作を促す表示や音声などを出力し、上記操作部への操作状況に応じてその後の演出の展開を異ならせるパチンコ機（特許文献１）も知られている。
【先行技術文献】
【特許文献】
【０００４】
【特許文献１】特開２０１５−１９６０４３号公報
【発明の概要】
【発明が解決しようとする課題】
【０００５】
しかし、このようなパチンコ機には、上記操作部の周辺が汚れやすいという問題があった。すなわち、遊技者はタバコを吸いながら遊技を行う場合があり、操作部が操作された時に、遊技者が持つタバコからタバコの灰が落ちて、上記操作部の周辺が汚れやすいという問題があった。また、遊技者が飲食しながら遊技を行う場合もあり、このような場合にも、お菓子のかけらなどが落ちることによって同様の問題が生じていた。
【０００６】
また、このような問題は、遊技中に遊技者において操作される操作部を備える遊技機であれば共通して生じるものであり、上記のようなパチンコ機に限られるものではない。例えば、操作部は演出の展開を異ならせる為に操作される操作部に限られるものではなく、遊技中に遊技者によって操作される操作部を備える遊技機であれば、同様な問題が生じ得る。更には、遊技機はパチンコ機に限られるわけではなく、回胴式遊技機であっても同様な問題が生じ得る。
【０００７】
本発明は、上述した課題を解決するためになされたものであり、遊技中に遊技者によって操作される操作部の周辺が汚れるのを抑制することが可能な遊技機を提供することを目的とする。
【課題を解決するための手段】
【０００８】
上述した課題の少なくとも一部を解決するために、本発明の遊技機は次の構成を採用した。すなわち、
遊技媒体を用いて遊技を行う遊技機であって、
前記遊技中に遊技者によって操作される操作部を備え、
前記操作部の周辺には、前記遊技球が入り得る大きさを有し、前記操作部が操作された時に遊技者の手からこぼれ落ちた物を受ける凹部が形成されており、
前記凹部には、前記遊技者の手からこぼれ落ちた物を排出する排出口と、前記排出口に向けて傾斜する傾斜面とが形成されている
ことを特徴とする。
【発明の効果】
【０００９】
本発明によれば、遊技中に遊技者によって操作される操作部を有する遊技機において、該操作部周辺が汚れるのを抑制することができる。
【図面の簡単な説明】
【００１０】
【図１】本実施例のパチンコ機の斜視図である。
【図２】本実施例の遊技版の盤面構成を示す説明図である。
【図３】本実施例のリーチ演出の種類を示す説明図である。
【図４】本実施例の灰皿部分の形状を示す説明図である。
【図５】変形例１の灰皿部分の形状を示す断面図である。
【図６】変形例２の灰皿部分の形状を示す説明図である。
【図７】変形例３の灰皿部分の形状を示す説明図である。
【図８】灰皿部分に開閉蓋を備える変形例４についての説明図である。
【図９】変形例４の灰皿部分の開閉蓋を開いた状態を示す説明図である。
【発明を実施するための形態】
【００１１】
上述した本発明の内容を明確にするために、本発明を「セブン機」や「デジパチ」と呼ばれるタイプのパチンコ機（遊技機）に適用した実施例について説明する。尚、実施例においては、特に断りがない限りは、パチンコ機正面に向かって右側を「右」と表現し、左側を「左」と表現する。
【００１２】
また、以下の実施例は次のような順序に従って説明する。
Ａ．パチンコ機の装置構成：
Ａ−１．装置前面側の構成：
Ａ−２．遊技盤の構成：
Ｂ．遊技の進行態様：
Ｃ．灰皿部分の構成
Ｄ．変形例：
Ｄ−１．変形例１：
Ｄ−２．変形例２：
Ｄ−３．変形例３：
Ｄ−４．変形例４：
【００１３】
Ａ．パチンコ機の装置構成  ：
Ａ−１．装置前面側の構成  ：
図１は、本実施例のパチンコ機１の斜視図である。図１に示すように、パチンコ機１の前面部には、前面枠４が設けられている。前面枠４は、一端（図１における左側）が中枠３に対して回動可能に軸支されている。中枠３の前面側には遊技盤２０（図２参照）が着脱可能に取り付けられており、前面枠４が中枠３に対してパチンコ機１前方側に回動（開放）されると、遊技盤２０が露出された状態となる。中枠３は、一端（図１における左側）が本体枠２に対して回動可能に軸支されている。本体枠２は、木製の板状部材を組み立てて構成された略長方形の枠体であり、パチンコ機１の外枠を形成している。
【００１４】
前面枠４の略中央部には窓部４ａが形成されており、この窓部４ａにはガラス板等の透明板４ｂが嵌め込まれている。遊技者は、窓部４ａ（透明板４ｂ）を通して奥側に配置される遊技盤２０の遊技領域を視認可能である。
【００１５】
前面枠４における窓部４ａの上方には上部ランプ５ａが設けられ、窓部４ａの周縁部における右部には右サイドランプ５ｂが設けられ、窓部４ａの周縁部における左部には左サイドランプ５ｃが設けられている。また、前面枠４における窓部４ａの左右上方には上部スピーカー６ａが設けられており、本体枠２の下部の前面には下部スピーカー６ｂが設けられている。これらの上部ランプ５ａ、右サイドランプ５ｂ、左サイドランプ５ｃ、上部スピーカー６ａ、下部スピーカー６ｂは、遊技上の演出効果を高めるために駆動される。
【００１６】
前面枠４における窓部４ａの下方には、上皿部７が設けられている。上皿部７には、パチンコ機１から払い出される遊技球が貯留される。上皿部７の上面右側には、球貸ボタン７ａが設けられており、パチンコ機１に対応して設けられたカードユニットにプリペイドカードが挿入された状態でこの球貸ボタン７ａが操作されると、パチンコ機１から遊技球が貸し出され、上皿部７に貯留される。さらに、上皿部７の上面右側には、返却ボタン７ｂが設けられている。プリペイドカードの残金が残った状態でこの返却ボタン７ｂが操作されると、カードユニットからプリペイドカードが返却される。
【００１７】
上皿部７の下方には下皿部８が設けられており、上皿部７の容量を超えて貸し出された遊技球や、上皿部７の容量を超えて払い出された遊技球が貯留される。また、上皿部７に設けられた球抜きボタン７ｃが操作された場合には、上皿の遊技球が下皿へ移し替えられる。さらに、下皿部８には下皿部８の底部分を開閉させるスライド板９が設けられており、下皿部８の下に玉箱を置いた状態でスライド板９を開放させると、遊技球がその開放部分を介して玉箱に移し替えられる。
【００１８】
前面枠４における下皿部８の右方には、発射ハンドル１０が設けられている。発射ハンドル１０の回転軸は、発射ハンドル１０の奥側に搭載された発射装置ユニットに接続されている。この発射装置ユニットには、上皿部７に貯留された遊技球が供給される。遊技者が発射ハンドル１０を回転させると、その回転が発射装置ユニットに伝達され、発射装置ユニットに内蔵された発射モーターが回転して、回転角度に応じた強さで遊技球が発射される。
【００１９】
上皿部７の上面中央部には遊技者による押下操作が可能な演出ボタン１１が設けられており、下皿部８の左方には遊技者による押込操作や回転操作が可能なジョグシャトル１２が設けられている。これらの演出ボタン１１やジョグシャトル１２は、何れも遊技者によって操作される演出操作部であり、所定の条件成立時に遊技者によって操作されると、所定の遊技演出が行われる。
【００２０】
上皿部７には、演出ボタン１１の右方に十字キー７ｄが設けられている。演出ボタン１１及び十字キー７ｄの操作により、音量や光量などを遊技者が任意に設定することが可能とされている。
【００２１】
上皿部７には、演出ボタン１１の周囲に、凹状の灰皿１３が形成されている。この灰皿１３の構成については、後述する灰皿部分の構成において説明する。
【００２２】
Ａ−２．遊技盤の構成  ：
図２は、遊技盤２０の盤面構成を示す説明図である。前述したように、遊技盤２０は中枠３の前面側に着脱可能に取り付けられている。図２に示すように、遊技盤２０の中央には略円形状の遊技領域２１が形成されている。発射装置ユニットから発射された遊技球は、外レール２２と内レール２３との間を通って遊技領域２１に放出され、遊技領域２１の上方から下方に向かって流下する。遊技領域２１は、前面枠４の窓部４ａを通して遊技者に視認されるので、当然ながら、遊技領域２１を流下する遊技球の様子も窓部４ａを通して遊技者に視認されることとなる。
【００２３】
遊技領域２１の略中央には中央装置４０が設けられており、中央装置４０のほぼ中央には、演出表示装置４１が設けられている。演出表示装置４１は液晶表示器によって構成されており、その表示画面上には、演出用の種々の画像を表示することが可能である。尚、演出表示装置４１の詳しい表示内容については、後述する遊技の進行態様において説明する。
【００２４】
遊技領域２１における中央装置４０（演出表示装置４１）の下方には、開口部の大きさが不変（一定）であり遊技球が常時入球可能な始動口である第１始動口２４が設けられている。第１始動口２４に入球した遊技球は、内部に設けられた通路を通って遊技盤２０の裏面側に導かれる。第１始動口２４の内部の通路には第１始動口センサーが設けられており、第１始動口２４に入球した遊技球を検知可能である。
【００２５】
また、遊技領域２１における第１始動口２４の下方には、遊技球の入球可能性が変化する入球口（始動口）である第２始動口２５が設けられている。すなわち、第２始動口２５は、パチンコ機１の前後方向に回動可能な開閉扉２６を備えており、開閉扉２６が略直立して遊技球が入球不能（または入球困難）な閉鎖状態と、開閉扉２６がパチンコ機１の前方側に回動して遊技球が入球可能（または入球容易）な開放状態とに変化可能である。図２では、第２始動口２５が開放状態となっている様子が示されている。第２始動口２５に入球した遊技球は、内部に設けられた通路を通って遊技盤２０の裏面側に導かれる。第２始動口２５の内部の通路には第２始動口センサーが設けられており、第２始動口２５に入球した遊技球を検知可能である。
【００２６】
また、遊技領域２１において中央装置４０（演出表示装置４１）の右方には、普通図柄作動ゲート２７が設けられており、普通図柄作動ゲート２７の内部には、遊技球の通過を検知するゲートセンサーが設けられている。
【００２７】
また、遊技領域２１における第１始動口２４の右方には、略長方形状に大きく開口された大入賞口２８（可変入球口）が設けられている。大入賞口２８は、パチンコ機１の前後方向に回動可能な開閉扉２９を備えており、開閉扉２９が略直立して遊技球が入球不能な閉鎖状態と、開閉扉２９がパチンコ機１の前方側に回動して遊技球が入球可能な開放状態とに変化可能である。図２では、大入賞口２８が開放状態となっている様子が示されている。大入賞口２８に入球した遊技球は、内部に設けられた通路を通って遊技盤２０の裏面側に導かれる。大入賞口２８の内部の通路には大入賞口センサーが設けられており、大入賞口２８に入球した遊技球を検知可能である。
【００２８】
また、上述した各遊技装置の周辺には、遊技球が入球可能なその他入球口３０や、遊技球の流下経路に影響を与える風車型ホイール３１や多数の障害釘３２が設けられている。遊技領域２１の最下部であって第２始動口２５の左下方と右下方には、２つのアウト口３３が設けられており、上述した第１始動口２４、第２始動口２５、大入賞口２８、その他入球口３０の何れにも入球しなかった遊技球は、アウト口３３から遊技盤２０の裏側に排出される。
【００２９】
上述した第１始動口２４には、中央装置４０（演出表示装置４１）の左方の領域を流下する遊技球が入球可能である。これに対して、第２始動口２５、普通図柄作動ゲート２７、大入賞口２８には、中央装置４０（演出表示装置４１）の右方の領域を流下する遊技球が入球可能（または通過可能）である。以下では、中央装置４０（演出表示装置４１）の左方の領域を流下するように遊技球を発射させることを「左打ち」とも表現し、中央装置４０（演出表示装置４１）の右方の領域を流下するように遊技球を発射させることを「右打ち」とも表現する。尚、本実施例のパチンコ機１では、第１始動口２４、第２始動口２５、その他入球口３０の何れかに遊技球が入球した場合は、３個の遊技球が遊技者に払い出され、大入賞口２８に遊技球が入球した場合は、１３個の遊技球が遊技者に払い出される。
【００３０】
Ｂ．遊技の進行態様  ：
本実施例のパチンコ機１では、次のようにして遊技が進行する。まず遊技が開始される前の待機状態において演出ボタン１１が操作された場合には、演出表示装置４１にて各種設定を行う設定画面が表示される。この設定画面では、音量や光量など設定の対象となる項目が列挙され、十字キー７ｄ及び演出ボタン１１の操作に応じて設定対象やその設定値が選択または決定される。
【００３１】
カードユニットに現金又はプリペイドカードが挿入され、パチンコ機１の球貸ボタン７ａが操作されると、上皿部７に遊技球が貸し出される。上皿部７に遊技球が貯留された状態で発射ハンドル９が回転されると、上皿部７に貯留された遊技球が１球ずつ発射装置ユニットに供給されて、図２を用いて前述した遊技領域２１に発射される。遊技球を打ち出す強さは発射ハンドル９の回転角度に対応するので、遊技者は発射ハンドル９の回転角度を変化させることによって、遊技者は所望する領域に遊技球を流下させることができる。例えば、中央装置４０（演出表示装置４１）の左方の領域を流下するように遊技球を発射させたり（左打ちを行ったり）、中央装置４０（演出表示装置４１）の右方の領域を流下するように遊技球を発射させたり（右打ちを行ったり）することができる。
【００３２】
第１始動口又は第２始動口に遊技球が入球した場合には、大当りの判定が行われる。そして、演出表示装置４１にて、大当り判定の結果に応じた表示演出が実行される。大当り判定の結果が大当りであった場合には、演出表示装置４１にて大当りに対応した図柄を表示した後、遊技者にとって有利な大当り状態へ移行する。大当り状態では、大入賞口２８の開放頻度が高くなるため、大入賞口２８に遊技球が入りやすくなり、遊技者は多くの遊技球を獲得しやすくなる。
【００３３】
遊技終了時には、球抜きボタン７ｃが操作されて上皿部７に貯留されている遊技球が下皿部８に流され、下皿部８のスライド板９が開放されることにより遊技球が玉箱に移し替えられる。また、返却ボタン７ｂが操作された場合には、カードユニットからプリペイドカードが返却される。
【００３４】
＜演出表示装置４１の表示内容＞
ここで、演出表示装置４１の表示内容について詳しく説明する。演出表示装置４１では、図柄の変動開始条件の成立に伴い、３つの識別図柄４１ａ，４１ｂ，４１ｃの変動表示を一斉に開始し、所定時間経過後に３つの識別図柄４１ａ，４１ｂ，４１ｃの変動表示を終了する表示演出が実行される。本実施例のパチンコ機１では、識別図柄として「１」〜「９」までの９つの数字を意匠化した図柄を表示可能である。尚、図柄の変動開始条件としては、第１始動口又は第２始動口への入球などがある。
【００３５】
図３（ａ）には、３つの識別図柄４１ａ，４１ｂ，４１ｃが一斉に変動表示している様子が概念的に示されている。変動表示が開始された後、所定時間が経過すると、初めに左識別図柄４１ａが「１」〜「９」のいずれかの図柄で停止表示され、次に、右識別図柄４１ｃが停止表示され、最後に中識別図柄４１ｂが停止表示される。これら演出表示装置４１で停止表示される３つの識別図柄４１ａ，４１ｂ，４１ｃの組合せは、大当たりの当否判定の結果と対応するように構成されている。例えば、大当り判定の結果が大当りであった場合は、演出表示装置４１の３つの識別図柄４１ａ，４１ｂ，４１ｃが同じ図柄となる図柄組合せ（以下「ゾロ目」ともいう）で停止表示される。また、大当り判定の結果が外れであった場合は、３つの識別図柄４１ａ，４１ｂ，４１ｃは同じ図柄で揃わない図柄組合せ（以下「バラケ目」ともいう）で停止表示される。
【００３６】
このように、演出表示装置４１の表示演出によって、大当り判定の結果が遊技者に示される。従って、図３（ｂ）に示すように、演出表示装置４１の表示画面上で初めに停止表示される左識別図柄４１ａと、続いて停止表示される右識別図柄４１ｃとが同じ図柄であった場合には、最後に停止表示される中識別図柄４１ｂも同じ図柄で停止して、「大当り遊技が開始されるのではないか」と、遊技者は識別図柄の変動表示（図柄変動演出）を注視することになる。このように、２つの識別図柄を同じ図柄（ゾロ目となり得る態様）で停止させて最後の識別図柄を変動表示させた状態で行われる演出は「リーチ演出」と呼ばれており、このリーチ演出を発生させることで遊技興趣を高めることが可能である。
【００３７】
また、本実施例のパチンコ機１では、演出ボタン１１又はジョグシャトル１２を利用した「ボタン演出」も採用されている。例えば、識別図柄の変動表示中に演出ボタン１１又はジョグシャトル１２の操作を遊技者に促す表示を行い、所定のタイミングで操作が行われた場合に演出内容を変更するものがある。一例を挙げると、本実施例のパチンコ機１では、背景色が白→青→緑→赤の順で大当り当選期待度が高くなるように設定されており、背景色が白、青、緑のいずれかの状態で遊技者に演出ボタン１１又はジョグシャトル１２の操作を促す表示を行い、その促す表示の実行中に操作が行われた場合に背景色をより上位の色に変更したり、操作前の背景色を維持したりする演出が行われる。このように、遊技者のよる操作を契機として大当り当選期待度を示す表示が切り替わるようにしたことで、遊技の興趣が高められている。
【００３８】
ところで、このような演出ボタン１１を搭載した遊技機では演出ボタン１１の周辺が汚れやすいという問題があった。例えば、遊技者はタバコを吸いながら遊技を行うことがある。こうした遊技者はタバコを吸うとき、右手は発射ハンドル１０を操作するため、空いた左手でタバコを持つのが一般的である。こうした状況下で演出ボタン１１の操作が促されると、遊技者はとっさに演出ボタン１１を操作しようとするが、右手は発射ハンドル１０を操作しているため、タバコを持った左手で操作することとなる。そうすると、演出ボタン１１が操作されたときに、タバコの灰が演出ボタン１１の周辺に落ちてしまう。また、遊技者は飲食をしながら遊技を行うこともあり、この場合にも演出ボタン１１の操作時にお菓子のかけらなどが演出ボタン１１の周辺に落ちて汚れるという同様の問題が生じていた。そこで、本パチンコ機では、上記問題を解決するための工夫が施されている。以下、その構成について説明する。
【００３９】
Ｃ．灰皿部分の構成
図４は、上皿部７における灰皿１３部分の拡大図である。上述したように、上皿部７の上面には、中央に演出ボタン１１が設けられている。演出ボタン１１は、操作される部分が上方に露出しており、上方から押下操作が可能に設置されている。この演出ボタン１１の周囲を囲むようにして灰皿１３が形成されている。灰皿１３は底面５０とこの底面５０の周囲を囲む外壁５１とからなり、灰皿１３に落ちたタバコの灰などのごみは灰皿１３内に蓄積される。また、演出ボタン１１の側面にはタバコの灰などのごみが付着しないように、側面を覆う内壁５２が形成されている。
【００４０】
尚、「遊技球」は本発明における「遊技媒体」に相当し、「演出ボタン１１」は本発明における「操作部」に相当し、「灰皿１３」は本発明の「凹部」に相当する。
【００４１】
以上のように、本実施例のパチンコ機１では、上皿部７の上面において、演出ボタン１１の周囲に灰皿１３が設けられている。このため、演出ボタン１１が操作された時にタバコの灰などのごみが演出ボタン１１の周囲に落ちたとしても灰皿１３で受けられる。その結果、タバコの灰やお菓子のかけら等の、遊技者の手からこぼれ落ちた物が、操作部の周辺に広がることが防止されるので、操作部の周辺が汚れるのを抑制することができる。
【００４２】
尚、灰皿は、演出ボタン１１の周囲を囲むものでなくてもよい。例えば、演出ボタン１１の後方や左方に配置したものであってもよい。遊技者はタバコを吸いながら遊技を行う場合、発射ハンドル１０を右手で操作し、左手の人差し指と中指との間にタバコを挟んで持つことが多い。そのため、タバコを持った左手で演出ボタン１１が操作されると、演出ボタン１１の後方や左方にタバコの灰が落ちやすい。そこで、演出ボタン１１の後方や左方に灰皿１３を配置することにより、タバコの灰を効率的に受けることができ、さらに、演出ボタン１１の前方や右方のスペースを別の目的で使用することが可能となる。
【００４３】
灰皿はタバコの灰以外に、食べかすなど、演出ボタン１１の操作時に遊技者の手からこぼれ落ちる別の物を受けるものであってもよい。
【００４４】
演出ボタン１１は上方から操作するものに限らず、側方（遊技者側）や下方から操作するものであってもよい。例えば、演出ボタンを上皿部７の下部（裏側）に設け、側方（遊技者側）や下方から操作可能としてもよい。この場合、灰皿１３は演出ボタン１１の下方、特に真下（下皿部８の上面）に配置することが好ましい。演出ボタン１１が側方や下方から操作された場合にはタバコの灰などは演出ボタン１１の真下に落ちやすい。このため、灰皿を演出ボタン１１の下方、特に真下に配置することで、タバコの灰などを受けることができる。また、別の例として、演出ボタンをパチンコ機１の上部（例えば、上部ランプ５ａの位置）に設け、側方（遊技者側）や下方から操作可能としてもよい。この場合、灰皿１３は演出ボタン１１の下方、特に真下（上皿部７の上面）に配置することが好ましい。
【００４５】
演出ボタン１１をボタン型以外の操作部としてもよい。例えば、レバー型の操作部、タッチパネルによる操作部としてもよい。この場合にも、操作時にタバコの灰などが落ちて操作部周辺が汚れるという共通の問題が生じるからである。
【００４６】
灰皿１３は、演出ボタン１１以外の操作部周辺に設けるようにしてもよい。例えば、球貸ボタン７ａの周辺に設けるようにしてもよい。球貸ボタン７ａは遊技の開始前に操作されるが、遊技によって遊技球が無くなるかあるいは無くなりそうになった場合に再度操作されることとなるため、遊技者がタバコやお菓子を持った状態で操作されることがある。その結果、球貸ボタン７ａの周辺にもタバコの灰などが落ちて同様の問題が生じるからである。
【００４７】
あるいは、返却ボタン７ｂの周辺に灰皿１３を設けてもよい。返却ボタン７ｂは、例えば大当り状態となった場合に操作される。大当り状態となれば多くの遊技球が払い出され暫く遊技球を新たに借りる必要がなくなるからであり、またプリペイドカードを放置しておくと返却するのを忘れて遊技を終了してしまう可能性があるからである。このため、タバコを吸っている時に大当り状態となり、タバコを持つ手で返却ボタン７ｂが操作されることがある。その結果、返却ボタン７ｂの周辺にもタバコの灰などが落ちて汚れてしまうという同様の問題が生じる。従って、返却ボタン７ｂの周辺に灰皿１３を設けた場合においても、返却ボタン７ｂの周辺の汚れを抑制するという効果を得ることができる。
【００４８】
もしくは、球抜きボタン７ｃの周辺に灰皿１３を設けてもよい。球抜きボタン７ｃは遊技終了時に操作されるところ、その時に遊技者がタバコを吸っていればタバコを持った手で球抜きボタン７ｃが操作されることがあり、同様の問題が生じるからである。
【００４９】
あるいは、十字キー７ｄの周辺に灰皿１３を設けてもよい。上述したように、遊技者は遊技機の設定を変更したい場合に十字キー７ｄを操作するが、設定の変更は遊技の開始前に限らず、遊技の途中で行われることもある。遊技の途中で設定の変更が行われる場合にはタバコを吸いながら十字キー７ｄが操作されることもあり、この場合には同様の問題が生じる。よって、十字キー７ｄの周辺に灰皿１３を設けた場合においても、十字キー７ｄの周辺の汚れを抑制するという効果を得ることができる。
【００５０】
Ｄ．変形例  ：
次に、本発明の変形例について説明する。
Ｄ−１．変形例１  ：
上述した実施例では、灰皿１３の底が塞がっている。このため、灰皿１３内に落ちたタバコの灰などのごみは灰皿１３内に蓄積される。これに代えて、灰皿１３にタバコの灰などのごみを排出する排出口５３を設ける構成としてもよい。
【００５１】
図５は、排出口５３を有する灰皿１３の断面図である。図５に示すように、灰皿１３の底面５０は、排出口５３に向けて傾斜している。このため、灰皿１３に落ちたごみは排出口５３に流れやすくなる。その結果、灰皿１３に汚れが蓄積するのを抑制することができる。
【００５２】
ちなみに、排出口５３に落ちたごみは排出経路を通じて遊技機外部の回収ボックスに排出される。排出される先は、これに限定されない。例えば、パチンコ機１周辺に灰皿がある場合にはその灰皿としてもよいし、島内にタバコの灰を回収する樋が設けられている場合にはその樋としてもよい。
【００５３】
また、排出口５３の幅は、遊技球の直径（１１ｍｍ）よりも短い長さ（６ｍｍ）となっている。このため、遊技球が灰皿１３に落ちてしまった場合であっても、排出口５３から排出されることを抑制することができる。
【００５４】
排出口５３に向けて傾斜面が形成されていれば、排出口５３は灰皿１３の底面５０でなく外壁５１に形成されていてもよい。この場合であっても、灰皿１３に落ちたごみは排出口５３に流れやすくなるからである。
【００５５】
Ｄ−２．変形例２  ：
上述した実施例及び変形例１では、灰皿１３の溝の幅（２０ｍｍ）が遊技球の直径（１１ｍｍ）よりも広くなっている。このため、遊技球が灰皿１３の底に落ちることがあり、灰皿１３内（底面５０）にタバコの灰などのごみが付着している場合には、これが遊技球に移ることがある。そして、タバコの灰などが付着した遊技球が遊技に使用されると、遊技球の通過経路、例えば上皿部７から発射装置ユニットに到達するまでの経路などに遊技球の付着ごみが移ることがある。これにより、遊技球の詰まりが生じやすくなり、さらに遊技球の詰まりにより遊技球を打ち出す位置がずれて発射装置ユニットの故障につながるおそれがある。そこで、変形例２では、このような事態の発生を抑制する構成がとられている。
【００５６】
図６（ａ）は、変形例２の灰皿部分の拡大図であり、図６（ｂ）は、Ｂ−Ｂ位置における灰皿部分の断面図である。図６（ａ）及び図６（ｂ）に示すように、灰皿１３には、外壁５１と内壁５２との間に中壁５４が形成されている。中壁５４は、外壁５１との間隔（９ｍｍ）が遊技球の直径（１１ｍｍ）よりも狭くなるように形成され、内壁５２との間隔（９ｍｍ）も遊技球の直径（１１ｍｍ）よりも狭くなるように形成されている。また、外壁５１、内壁５２及び中壁５４の高さ（１０ｍｍ）はいずれも遊技球の半径（５．５ｍｍ）よりも高く設定されている。このため、遊技球が灰皿１３内に落ちそうになっても、外壁５１及び中壁５４、または内壁５２及び中壁５４によって挟まれ、落下が防止される。その結果、遊技球が灰皿１３の底面５０に接触しないので、灰皿１３内の汚れが付着しにくくなり、上記のような問題の発生が抑制される。
【００５７】
また、灰皿１３に中壁５４が設けられたことによって、遊技者が視認できる底面５０の範囲が狭くなる。このため、灰皿１３内の汚れが目立ちにくくなる。
【００５８】
さらに、図６（ｂ）に示すように、中壁５４は外壁５１及び内壁５２よりも低く設定されている。このため、遊技者が演出ボタン１１を操作したときに遊技者の手が中壁５４に当たりにくくなっている。その結果、遊技者の怪我の発生が抑制される。加えて、中壁５４が破損するような事態の発生も抑制することができる。
【００５９】
尚、中壁５４に代えて、灰皿１３から起立した複数の突起を設け、これらの突起と外壁５１及び内壁５２とで遊技球の落下を抑制するようにしてもよい。
【００６０】
Ｄ−３．変形例３  ：
上述した変形例２では、灰皿１３に中壁５４を設けることによって、灰皿１３の溝の幅を狭くし、遊技球が灰皿１３の底面５０に接触しないようにした。こうした構成においても、変形例１のように排出口５３を設けることが想定されるが、変形例１と同様に排出口５３を設ける場合には、中壁５４の内側に落ちたごみについては排出されないという問題が生じる。そこで、変形例３では、中壁５４を設けた場合であっても、灰皿１３内に落ちたごみが排出されるよう、以下のように構成した。
【００６１】
図７（ａ）は、変形例３の灰皿部分の拡大図であり、図７（ｂ）は、Ｃ−Ｃ位置における灰皿部分の断面図である。図６（ａ）及び図６（ｂ）に示すように、変形例３では、中壁５４にスリットが形成されており、そのスリットから灰皿１３内に落ちたごみが排出口へ流れるようになっている。また、スリット部分から遊技球が灰皿１３の底面５０に落下しないように、スリットの幅（中壁５４同士の間隔（６ｍｍ））が遊技球の直径（１１ｍｍ）未満に設定されている。これにより、遊技球が灰皿１３の底面５０に落下するのを抑制しつつ、灰皿１３内に落ちたごみを排出口へ流すことができる。
【００６２】
Ｄ−４．変形例４  ：
上述した変形例２及び変形例３では、中壁５４を設けたことにより、遊技球が灰皿１３の底面に落下することが抑制されている。ところが、中壁５４を設けた場合には灰皿１３内のスペースが分割されるため、灰皿１３内の清掃時の作業量が多くなり、且つ各スペースが狭くなるため清掃が行いにくくなるという問題が生じる。そこで、変形例４では、灰皿１３の底面５０に遊技球が落下するのを抑制しつつ、清掃作業が行いやすい構成について説明する。
【００６３】
図８は灰皿１３部分に開閉蓋５５を備える変形例４についての説明図である。図８に示すように、上皿部７には、灰皿１３を開閉する開閉蓋５５が設けられている。開閉蓋５５には、遊技球が通過できない程度のスリットが形成されている。このため、開閉蓋５５を閉めた状態では、スリットからタバコの灰などが通過可能な一方、遊技球は灰皿１３の底面５０に落下しないようになっている。
【００６４】
また、開閉蓋５５は、一端が灰皿１３に対して回動可能に軸支されており、回動することにより開閉される。図９は、灰皿１３部分の開閉蓋５５を開いた状態を示す説明図である。図９に示すように、開閉蓋５５を開くことにより、灰皿１３の底面が上方に開放される。このため、灰皿１３内の清掃が行いやすくなる。
【００６５】
以上、本発明の実施例および変形例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【００６６】
例えば、遊技ホールの島設備から供給される遊技球を払い出すことによって、遊技の結果としての利益（遊技価値）を遊技者に付与するパチンコ機１に本発明を適用した例を説明した。これに限らず、「遊技球の払い出し」とは異なる形態で遊技上の利益を付与するタイプの遊技機にも、本発明を適用することができる。例えば、各種入球口への遊技球の入球が発生することで、その入球に対応する利益の量（遊技価値の大きさ）を示すデータを記憶することによって、遊技上の利益（遊技価値）を遊技者に付与するタイプのパチンコ機にも本発明を適用することができ、この場合にも、上述した実施例と同様の効果を得ることができる。なお、遊技上の利益（遊技価値）をデータ化して遊技者に付与するタイプのパチンコ機としては、パチンコ機に内蔵された複数個の遊技球を循環させて使用する遊技機、具体的には、各種入球口あるいはアウト口を経て遊技盤の裏面に排出された遊技球を、再度、発射位置に戻して発射するように構成されたパチンコ機（いわゆる封入式遊技機）を例示できる。
【００６７】
また、パチンコ機に変えて、所定の開始操作に応じて表示部にて複数種類の識別絵柄を変動表示させ、所定の停止操作に応じて識別絵柄を停止表示させ、停止表示された絵柄に応じた処理を実行するスロットマシンとしてもよい。
【００６８】
また、上述した実施例または変形例のパチンコ機は、次のような遊技機として捉えることもできる。すなわち、
遊技媒体を用いた遊技を行う遊技機であって、
前記遊技中に遊技者によって操作される操作部を備え、
前記操作部の周辺には、前記操作部が操作された時に遊技者の手からこぼれ落ちた物を受ける凹部が形成されている
ことを特徴とする遊技機。
【００６９】
このような遊技機では、遊技中に遊技者によって操作される操作部の周辺には、操作部の操作に伴って遊技者の手からこぼれ落ちた物を受ける凹部が形成されている。このため、例えば、遊技者がタバコを持ったまま、あるいはお菓子などを食べながら操作部を操作しようとして、その際にタバコの灰やお菓子のかけら等がこぼれ落ちるようなことがあっても、それらを凹部で受けることができる。その結果、タバコの灰やお菓子のかけら等の、遊技者の手からこぼれ落ちた物が、操作部の周辺に広がることが防止されるので、操作部の周辺が汚れるのを抑制することができる。
【００７０】
尚、上記操作部の設けられた面が、上方に向いているか、あるいは遊技者側に傾斜している場合には、上記の凹部を、操作部の単に周辺に形成するのではなく、操作部の周囲に（すなわち、操作部を囲むような状態で）形成するようにすることが望ましい。あるいは、上記操作部の設けられた面が、遊技者側を向いている場合、もしくは下方を向いている場合には、上記の凹部を、操作部の下方に形成するようにすることが望ましい。
【００７１】
また、上述した遊技機は、
前記凹部には、前記遊技者の手からこぼれ落ちた物を排出する排出口が形成されている
こととしてもよい。
【００７２】
こうすれば、タバコの灰やお菓子のかけら等の、遊技者の手からこぼれ落ちた物を排出口から排出させることができるので、遊技者の手からこぼれ落ちた物が、凹部内で遊技者の目に触れ続ける事態を抑制することができる。加えて、遊技者の手からこぼれ落ちた物によって、凹部が一杯になる事態も回避することができる。その結果、遊技機の操作部の周辺が汚れることを、より一層、抑制することが可能となる。
【００７３】
尚、凹部に形成する排出口の大きさは、遊技球が通過できない程度に小さくするとよい。こうすれば、凹部に遊技球が落ちてしまった場合でも、遊技球が排出口から排出されることが防止されるので、遊技者は遊技球を簡単に拾い出すことができる。また、遊技場側としても、遊技球が排出されてしまうことによって遊技者からクレームを受けるような事態を抑制することができる。
【００７４】
また、凹部に排出口を備える上述の遊技機は、
前記凹部には、前記排出口に向けて傾斜する傾斜面が形成されている
こととしてもよい。
【００７５】
こうすれば、凹部内に落ちたタバコの灰などが、傾斜面によって排出口に流れやすくなるので、排出口から排出されずに、凹部内に溜まってしまう事態を抑制することが可能となる。尚、凹部が、上記傾斜面を有する底面と該底面を囲む壁面とからなるものである場合には、排出口を底面及び壁面のうちいずれに形成するようにしてもよい。
【００７６】
また、上記の排出口を備える上述の遊技機は、
前記排出口を開閉する開閉扉を有する
こととしてもよい。
【００７７】
開閉扉を閉じた場合にはタバコの灰などが凹部内に留まり、開閉扉を開けた場合には凹部内に落ちたタバコの灰などが排出口から排出されるので、遊技ホールの管理者等は開閉扉の開閉により、凹部内にこぼれ落ちた物の処理方法を任意に選択することができる。
【００７８】
また、上述の遊技機は、
前記凹部上方から落ちた遊技球が該凹部の底面に接触しないように支持する支持部を備える
こととしてもよい。
【００７９】
凹部内には、遊技者の手からこぼれ落ちた物（タバコの灰など）が付着していることがあり、そのような場合に凹部内に遊技球が入ると、タバコの灰など、付着していた物が遊技球に移ってしまうことが考えられる。そして、そのような遊技球が遊技に使用されると、遊技球の通過経路（例えば、上皿部に貯留された遊技球が上皿部から該遊技球を発射させる発射装置ユニットまで送り出されるまでの経路など）にもタバコの灰などが付着し、遊技球の詰まりや遊技機の故障につながってしまう。この点で、上述したように凹部上方から落ちた遊技球が該凹部の底面に接触しないように支持する支持部を設ければ、遊技球が凹部の底へ落下することが抑制されるので、このような問題の発生を抑制することができる。
【００８０】
尚、上記支持部は上記凹部を覆うようにして、且つ、遊技球が通過できない程度の大きさのスリットが形成されたものとすることができる。あるいは、上記凹部は、上記傾斜面を有する底面と該底面を囲む壁面とからなり、上記支持部は、上記凹部の底面から上方に向けて突出して形成され、且つ、上記凹部の壁面と共に遊技球が凹部の底面に付かない位置で支持するように形成されていることとしてもよい。
【００８１】
また、上述の遊技機は、
前記遊技に伴う所定の演出画像を表示する演出を行うと共に、前記演出の実行中の所定のタイミングで前記操作部が操作された場合には、前記演出の内容が変更された前記演出画像を表示する演出表示部を備える
こととしてもよい。
【００８２】
このような遊技機では、遊技中に所定のタイミングで操作部が操作されると演出の内容が変更される。このため、所定のタイミングになった時に、遊技者がタバコ等を持っていると、その手でとっさに操作部を操作してしまいがちである。そして、タバコなどを持った手でとっさに操作部を操作すると、タバコの灰などがこぼれ落ち易く、それだけ、操作部の周辺がタバコの灰やお菓子のかけら等によって汚れ易くなる。そこで、特にこのような操作部の周辺に凹部を備えておけば、より一層、汚れ抑制効果を高めることが可能となる。
【産業上の利用可能性】
【００８３】
本発明は、遊技ホールで用いられる遊技機に利用することができる。
【符号の説明】
【００８４】
１…パチンコ機（遊技機）、７…上皿部、７ａ…球貸ボタン、７ｂ…返却ボタン、７ｃ…球抜きボタン、７ｄ…十字キー、１１…演出ボタン（操作部）、１３…灰皿（凹部）、４１…演出表示装置（演出表示部）、５０…底面（変形例１及び変形例３における傾斜面）、５１…外壁（壁面）、５２…内壁、５３…排出口、５４…中壁（支持部）、５５…開閉蓋（支持部）。
【図１】
0006484864.tif 000002
【図２】
0006484864.tif 000003
【図３】
0006484864.tif 000004
【図４】
0006484864.tif 000005
【図５】
0006484864.tif 000006
【図６】
0006484864.tif 000007
【図７】
0006484864.tif 000008
【図８】
0006484864.tif 000009
【図９】
0006484864.tif 000010